(57)【要約】【課題】ユーザ設定および順応に対応した光源の輝度調整を行うことが可能な表示装置等を提供すること。【解決手段】表示装置の一種であるプロジェクタ１００が、表示用の光源１７０を制御するための複数種の光源制御データ１２６と、表示輝度の設定を示す輝度設定データ１２２と、表示モードの設定を示す表示モードデータ１２４とを記憶する記憶部と、輝度設定データ１２２と、表示モードデータ１２４に基づき、複数種の光源制御データ１２６から適用する光源制御データ１２６を決定する決定部１５０と、決定部１５０によって決定された光源制御データ１２６に基づき、光源１７０の輝度を徐々に低下させる制御を行う制御部１６０を含んで構成される。【選択図】図１
2009204920.tif 000002
【特許請求の範囲】
【請求項１】
表示用の光源を制御するための複数種の光源制御データと、表示輝度の設定を示す輝度設定データと、表示モードの設定を示す表示モードデータとを記憶する記憶部と、
前記輝度設定データと、前記表示モードデータとに基づき、前記複数種の光源制御データから適用する光源制御データを決定する決定部と、
当該決定部によって決定された光源制御データに基づき、前記光源の輝度を徐々に低下させる制御を行う制御部と、
を含むことを特徴とする表示装置。
【請求項２】
請求項１に記載の表示装置において、
前記表示輝度の設定および前記表示モードの設定の少なくとも一方の変更指示があるかどうかを判定する判定部を含み、
前記決定部は、前記変更指示があった場合、前記変更指示に応じて前記光源制御データを決定し、
前記制御部は、前記決定部によって決定された光源制御データに基づき、前記光源の輝度を初期状態から徐々に低下させる制御を行うことを特徴とする表示装置。
【請求項３】
表示用の光源を制御するためのプログラムであって、
コンピュータを、
前記光源を制御するための複数種の光源制御データと、表示輝度の設定を示す輝度設定データと、表示モードの設定を示す表示モードデータとを記憶する記憶部と、
前記輝度設定データと、前記表示モードデータとに基づき、前記複数種の光源制御データから適用する光源制御データを決定する決定部と、
当該決定部によって決定された光源制御データに基づき、前記光源の輝度を徐々に低下させる制御を行う制御部として機能させることを特徴とするプログラム。
【発明の詳細な説明】
【技術分野】
【０００１】
本発明は、光源の輝度を調整する機能を有する表示装置およびプログラムに関する。
【背景技術】
【０００２】
例えば、テレビやプロジェクタ等の表示装置は、光源の輝度を固定して画像を表示しており、光源の寿命が短くなりがちである。また、センサを用いて周囲光の輝度を測定して画像の明るさを調整する省電力機能を有する表示装置も存在するが、人間の目の順応は考慮されていない。このような順応に対応する表示装置として、特開２００４−２６４６６８号公報では、映像の輝度を測定する輝度測定手段と、輝度測定手段の測定結果に応じてランプの輝度を制御するとともに、映像の輝度を視覚の暗順応の時定数で演算し、この演算結果が所定値以下になったときにランプの輝度を低下させ、映像の輝度が所定値以上になったときにランプの輝度を上昇させる輝度制御手段を備えたプロジェクタが記載されている。
【特許文献１】特開２００４−２６４６６８号公報
【発明の開示】
【発明が解決しようとする課題】
【０００３】
しかし、周囲の明るさに応じて画像の明るさを調整する手法や順応のみを考慮してランプの輝度を調整する手法では、ユーザ設定に応じた輝度調整を行うことはできない。
【０００４】
本発明の目的は、ユーザ設定および順応に対応した光源の輝度調整を行うことが可能な表示装置およびプログラムを提供することにある。
【課題を解決するための手段】
【０００５】
上記課題を解決するため、本発明に係る表示装置は、表示用の光源を制御するための複数種の光源制御データと、表示輝度の設定を示す輝度設定データと、表示モードの設定を示す表示モードデータとを記憶する記憶部と、前記輝度設定データと、前記表示モードデータとに基づき、前記複数種の光源制御データから適用する光源制御データを決定する決定部と、当該決定部によって決定された光源制御データに基づき、前記光源の輝度を徐々に低下させる制御を行う制御部と、を含むことを特徴とする。
【０００６】
また、本発明に係るプログラムは、表示用の光源を制御するためのプログラムであって、コンピュータを、前記光源を制御するための複数種の光源制御データと、表示輝度の設定を示す輝度設定データと、表示モードの設定を示す表示モードデータとを記憶する記憶部と、前記輝度設定データと、前記表示モードデータとに基づき、前記複数種の光源制御データから適用する光源制御データを決定する決定部と、当該決定部によって決定された光源制御データに基づき、前記光源の輝度を徐々に低下させる制御を行う制御部として機能させることを特徴とする。
【０００７】
本発明によれば、表示装置等は、輝度設定データと表示モードデータに基づいて光源制御データを決定し、当該光源制御データを用いて光源の輝度を徐々に低下させる制御を行うことにより、ユーザ設定および順応に対応した光源の輝度調整を行うことができる。
【０００８】
また、前記表示装置は、前記表示輝度の設定および前記表示モードの設定の少なくとも一方の変更指示があるかどうかを判定する判定部を含み、前記決定部は、前記変更指示があった場合、前記変更指示に応じて前記光源制御データを決定してもよい。
【０００９】
また、前記プログラムは、前記コンピュータを、前記表示輝度の設定および前記表示モードの設定の少なくとも一方の変更指示があるかどうかを判定する判定部として機能させ、前記決定部は、前記変更指示があった場合、前記変更指示に応じて前記光源制御データを決定してもよい。
【００１０】
これによれば、表示装置等は、設定の変更指示があった場合であっても、変更後のユーザ設定および順応に対応した光源の輝度調整を行うことができる。
【発明を実施するための最良の形態】
【００１１】
以下、本発明をプロジェクタに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１２】
図１は、本実施例におけるプロジェクタ１００の機能ブロック図である。表示装置の一種であるプロジェクタ１００は、画像信号等を入力する入力部１１０と、種々のデータを記憶する記憶部１２０と、ユーザの操作に応じて操作情報を生成する操作部１３０と、種々の判定と記憶部１２０内のデータの更新を行う判定部１４０と、決定部１５０と、表示用の光源１７０と、光源１７０等を制御する制御部１６０と、タイマ部１６２と、画像処理部１８０と、投写部１９０を含んで構成されている。
【００１３】
また、記憶部１２０は、表示輝度の設定を示す輝度設定データ１２２、表示モードの設定を示す表示モードデータ１２４、光源１７０を制御するための複数種の光源制御データ１２６等を記憶している。判定部１４０は、操作部１３０からの操作情報に基づき、設定の変更指示があったと判定した場合、当該変更指示に応じて輝度設定データ１２２または表示モードデータ１２４を更新する。
【００１４】
また、決定部１５０は、輝度設定データ１２２と、表示モードデータ１２４を参照して輝度設定および表示モード設定に応じて適用する光源制御データ１２６を決定する。制御部１６０は、決定された光源制御データ１２６に基づき、光源１７０の輝度を徐々に低下させるように光源１７０を制御する。
【００１５】
なお、プロジェクタ１００は、判定部１４０等の機能を情報記憶媒体２００からプログラム２１０を読み取って実装してもよい。このような情報記憶媒体２００としては、例えば、ＣＤ−ＲＯＭ、ＤＶＤ−ＲＯＭ、ＲＯＭ、ＲＡＭ、ＨＤＤ等を適用でき、プログラム２１０の読み取り方式は接触方式であっても、非接触方式であってもよい。
【００１６】
また、判定部１４０等の機能は、以下のハードウェアを用いてプロジェクタ１００に実装されてもよい。図２は、本実施例におけるプロジェクタ１００のハードウェアブロック図である。
【００１７】
例えば、入力部１１０としては画像信号入力端子９２０等、記憶部１２０としてはＲＡＭ９５０等、操作部１３０としてはボタン９１０等、判定部１４０、決定部１５０としてはプログラムを記憶したＲＯＭ９６０、ＣＰＵ９７０等、制御部１６０としてはＲＯＭ９６０、ＣＰＵ９７０、光源電源制御回路（例えば、バラスト）９８０等、タイマ部１６２としてはＣＰＵ９７０等、光源１７０としてはランプ９９０等、画像処理部１８０としては画像処理回路９３０等、投写部１９０としては液晶パネル９４０、投写レンズ等が用いられてもよい。なお、これらの各部はシステムバス９００を介して相互に通信可能に形成されてもよい。
【００１８】
次に、プロジェクタ１００における光源制御手順についてより詳細に説明する。図３は、本実施例における光源制御手順を示すフローチャートである。
【００１９】
プロジェクタ１００の起動時または映像ソースの切替時（ソース切替時）、決定部１５０は、輝度設定データ１２２と表示モードデータ１２４に基づき、適用する光源制御データ１２６を決定する（ステップＳ１）。
【００２０】
なお、輝度設定データ１２２で示される輝度設定としては、例えば、高輝度、通常輝度、低輝度等が該当する。また、表示モードデータ１２４で示される表示モードとしては、例えば、プレゼンテーションモード、シアターモード、静止画モード等が該当する。なお、輝度設定や表示モードの設定は、ユーザによって行われてもよいし、ネットワークを介してプロジェクタ１００以外のサーバ等からの制御命令に応じて行われてもよい。
【００２１】
ここでは、初期設定で、輝度設定データ１２２が高輝度の設定であり、表示モードデータ１２４がプレゼンテーションモードの設定であるものとする。
【００２２】
制御部１６０は、決定部１５０によって決定された光源制御データ１２６に基づき、現在の輝度レベル（初回は初期の輝度レベル）になるように光源１７０の駆動を制御する（ステップＳ２）。また、制御部１６０は、タイマ部１６２のタイマ値に基づき、制御開始時からの経過時間をカウントする（ステップＳ３）。
【００２３】
判定部１４０は、操作部１３０からの操作情報に基づき、ユーザによる設定の変更指示があるかどうかを判定する（ステップＳ４）。変更指示があった場合、判定部１４０は、当該変更指示に応じて輝度設定データ１２２または表示モードデータ１２４を更新する（ステップＳ５）。
【００２４】
例えば、ユーザが輝度設定を低輝度に変更する指示を行った場合、判定部１４０は、輝度設定が低輝度であることを示すように輝度設定データ１２２を更新する。また、例えば、ユーザが表示モードをシアターモードに変更する指示を行った場合、判定部１４０は、設定がシアターモードであることを示すように表示モードデータ１２４を更新する。なお、輝度設定と表示モードの両方を変更する指示があった場合、判定部１４０は、輝度設定データ１２２および表示モードデータ１２４を更新する。
【００２５】
また、輝度設定データ１２２または表示モードデータ１２４が更新された場合、決定部１５０は、輝度設定データ１２２と表示モードデータ１２４に基づき、適用する光源制御データ１２６を再決定する（ステップＳ１）。制御部１６０は、決定部１５０によって再決定された光源制御データ１２６に基づき、初期の輝度レベルになるように光源１７０の駆動を制御する（ステップＳ２）。また、制御部１６０は、制御開始時をリセットし、タイマ部１６２のタイマ値に基づき、リセット後の制御開始時からの経過時間をカウントする（ステップＳ３）。
【００２６】
また、判定部１４０は、操作部１３０からの操作情報に基づき、ユーザによるソース切替指示があったかどうかを判定する（ステップＳ６）。ソース切替指示があった場合、プロジェクタ１００は、再びステップＳ１からの処理を開始する。
【００２７】
一方、ソース切替指示がなかった場合、制御部１６０は、制御開始時から所定の設定時間が経過したかどうかを判定する（ステップＳ７）。
【００２８】
ここで、光源制御データ１２６に基づく光源輝度の変化について説明する。図４は、本実施例における高輝度、プレゼンテーションモードの光源制御データ１２６に基づく光源輝度の変化を示す図である。
【００２９】
例えば、高輝度、プレゼンテーションモードの場合、制御開始時ｔ０における光源輝度はＬ０であり、制御部１６０は、制御開始時は光源輝度がＬ０になるように光源１７０の駆動を制御する。また、制御開始時からの経過時間（設定時間）がｔ１になった場合、光源輝度が１段階低下し、制御開始時からの経過時間がｔ２になった場合、光源輝度がさらに１段階低下する。このようにして制御開始時からの経過時間がｔ６以上になった場合、光源輝度は最低輝度Ｌｍになる。
【００３０】
図５は、本実施例における高輝度、シアターモードの光源制御データ１２６に基づく光源輝度の変化を示す図である。また、図６は、本実施例における低輝度、静止画モードの光源制御データ１２６に基づく光源輝度の変化を示す図である。
【００３１】
例えば、高輝度、シアターモードの場合、制御開始時の光源輝度はＬ’０であり、制御開始時からの経過時間がｔ’３以上になった場合、光源輝度は最低輝度Ｌ’ｍになる。なお、高輝度、シアターモードの場合、高輝度、プレゼンテーションモードの場合と比較して光源輝度は緩やかに低下し、初期の光源輝度と最低輝度との差も小さい。
【００３２】
また、例えば、低輝度、静止画モードの場合、制御開始時の光源輝度はＬ”０であり、制御開始時からの経過時間がｔ”４以上になった場合、光源輝度は最低輝度Ｌ”ｍになる。なお、低輝度の場合、高輝度の場合と比較して初期の光源輝度および最低輝度は低くなっている。
【００３３】
このように表示輝度の設定と表示モードの設定の組合せによって光源制御データ１２６は異なっている。また、光源制御データ１２６は、初期の設定輝度によって表示輝度の設定と表示モードの設定の組合せに応じた輝度で画像が表示されるように形成され、最低輝度によって輝度が低下し過ぎないように形成されている。
【００３４】
具体的には、光源制御データ１２６は、例えば、ｔ１、ｔ２等の経過時間を示すデータ、Ｌ０等の初期の設定輝度を示すデータ、Ｌｍ等の最低輝度を示すデータ、ｔ１等の経過時間ごとの設定輝度を示すデータ等を含む。
【００３５】
また、光源制御データ１２６は、表示輝度の設定と表示モードの設定の組合せごとのユーザの輝度への慣れ（順応）を元に決定されたデータである。具体的には、光源制御データ１２６は、一般的な順応に関する演算によって生成されてもよいし、実験によって生成されてもよい。例えば、設定輝度の変化量（例えば、Ｌ１−Ｌ０等）はユーザが知覚しにくい程度の変化量であってもよく、設定時間の間隔（例えば、ｔ２−ｔ１等）はユーザが現在の輝度に慣れるまでの時間に基づいて決定されてもよい。
【００３６】
制御開始時から所定の設定時間が経過した場合（例えば、制御開始時からの経過時間がｔ１以上の場合）、制御部１６０は、光源１７０を制御する輝度レベルを、光源制御データ１２６を参照して経過時間に応じた輝度レベルに変更する（ステップＳ８）。
【００３７】
また、制御部１６０は、光源制御データ１２６を参照して変更後の輝度レベルが最低輝度（例えば、Ｌｍ等）であるかどうかを判定する（ステップＳ９）。最低輝度の場合は輝度レベルを変更する必要はないため、プロジェクタ１００は、光源制御を終了し、通常の投写を続行する。
【００３８】
一方、変更後の輝度レベルが最低輝度ではない場合、プロジェクタ１００は、ステップＳ２以降の処理を続行する。
【００３９】
以上のように、本実施例によれば、プロジェクタ１００は、輝度設定データ１２２と表示モードデータ１２４に基づいて輝度設定と表示モード設定に応じた光源制御データ１２６を決定する。また、光源制御データ１２６は、順応に応じて生成されたデータである。したがって、プロジェクタ１００は、光源制御データ１２６を用いて光源１７０の輝度を徐々に低下させる制御を行うことにより、ユーザに輝度が変化していることを気付かせることなく、ユーザ設定および順応に対応した光源１７０の輝度調整を行うことができる。
【００４０】
また、本実施例によれば、光源制御データ１２６には輝度設定と表示モードの組合せごとに最低輝度が設定されているため、プロジェクタ１００は、輝度を低下させ過ぎることなく、ユーザ設定および順応に対応した光源１７０の輝度調整を行うことができる。
【００４１】
また、本実施例によれば、プロジェクタ１００は、通常よりも光源１７０の輝度を低下させることができるため、光源１７０の消費電力を抑制し、光源１７０の使用可能時間を延ばすことができる。
【００４２】
また、本実施例によれば、プロジェクタ１００は、設定の変更指示があった場合であっても、変更後のユーザ設定および順応に対応した光源の輝度調整を行うことができる。また、本実施例によれば、プロジェクタ１００は、設定の変更指示があった場合やソース切替指示があった場合に初期の輝度レベルから光源制御を行うことにより、適切な輝度制御を行うことができる。
【００４３】
なお、本発明の適用は上述した実施例に限定されず、種々の変形が可能である。
【００４４】
また、光源制御手順は図３に示す手順には限定されず、処理順序の変更が可能である。例えば、プロジェクタ１００は、ステップＳ３の処理後にステップＳ８、Ｓ９の処理を実行してからステップＳ４〜Ｓ７の処理を実行してもよい。
【００４５】
また、表示装置は、プロジェクタ１００には限定されず、例えば、テレビ等であってもよい。また、プロジェクタ１００は、液晶プロジェクタには限定されず、例えば、ＤＭＤ(Digital Micromirror Device)を用いたプロジェクタ等であってもよい。なお、ＤＭＤは米国テキサス・インスツルメンツ社の商標である。また、プロジェクタ１００の機能を複数の装置（例えば、ＰＣとプロジェクタ等）に分散して実装してもよい。
【図面の簡単な説明】
【００４６】
【図１】本実施例におけるプロジェクタの機能ブロック図である。
【図２】本実施例におけるプロジェクタのハードウェアブロック図である。
【図３】本実施例における光源制御手順を示すフローチャートである。
【図４】本実施例における高輝度、プレゼンテーションモードの光源制御データに基づく光源輝度の変化を示す図である。
【図５】本実施例における高輝度、シアターモードの光源制御データに基づく光源輝度の変化を示す図である。
【図６】本実施例における低輝度、静止画モードの光源制御データに基づく光源輝度の変化を示す図である。
【符号の説明】
【００４７】
１００  プロジェクタ（表示装置）、１１０  入力部、１２０  記憶部、１２２  輝度設定データ、１２４  表示モードデータ、１２６  光源制御データ、１３０  操作部、１４０  判定部、１５０  決定部、１６０  制御部、１６２  タイマ部、１７０  光源、１８０  画像処理部、１９０  投写部、２００  情報提供装置、２１０  プログラム
【図１】
2009204920.tif 000003
【図２】
2009204920.tif 000004
【図３】
2009204920.tif 000005
【図４】
2009204920.tif 000006
【図５】
2009204920.tif 000007
【図６】
2009204920.tif 000008